(57)【要約】【課題】積み上げに係る労力および時間を軽減して施工性の向上を図れる護岸ブロックを提供する。【解決手段】護岸ブロック１０は、前板部１１と後板部１２との間に上下方向の間隙ＧＡを形成するための連結板部１３を備えている。前板部１１は連結板部１３の上面よりも上方に張り出した第１張出部１１ａを有しており、後板部１２は連結板部１３の下面よりも下方に張り出し、かつ、第１張出部１１ａと上下方向寸法が同じ第２張出部１２ａを有している。連結板部１３の下面には、第２張出部１２ａと上下方向寸法が同じ支持部１４が設けられている。【選択図】図１
2019035290.tif 000002
【特許請求の範囲】
【請求項１】
前板部と後板部との間に上下方向の間隙を形成するための連結板部を備えた護岸ブロックであって、
前記前板部の外形は長方形状であり、当該前板部は前記連結板部の上面よりも上方に張り出した第１張出部を有しており、
前記後板部の外形は長方形状であり、当該後板部は前記連結板部の下面よりも下方に張り出し、かつ、前記第１張出部と上下方向寸法が同じ第２張出部を有しており、
前記連結板部の下面には、前記第２張出部と上下方向寸法が同じ支持部が設けられている、
護岸ブロック。
【請求項２】
前記前板部の下面は前記連結板部の下面と面一であり、前記後板部の上面は前記連結板部の下面と面一であり、前記後板部の下面は前記支持部の下面と面一である、
請求項１に記載の護岸ブロック。
【請求項３】
前記前板部と前記後板部は後ろ向きに傾いていて、前記前板部の前面と前記後板部の後面は平行である、
請求項１または２に記載の護岸ブロック。
【請求項４】
前記支持部の上面の前後方向寸法は、前記前板部の前面と前記後板部の後面との前後方向寸法から前記第１張出部の厚さを減じた寸法に一致しており、
前記支持部の下面の前後方向寸法は、前記支持部の上面の前後方向寸法よりも僅かに小さい、
請求項３に記載の護岸ブロック。
【請求項５】
前記護岸ブロックは、前記後板部の下面と前記支持部の下面とで自立できるように重心位置が設定されている、
請求項３または４に記載の護岸ブロック。
【請求項６】
前記前板部の下部には、重心位置調整のための肉厚部が設けられており、
前記連結板部には、重心位置調整を兼ねる連結孔が左右方向に形成されている、
請求項５に記載の護岸ブロック。
【請求項７】
請求項１〜６のいずれか１項に記載の護岸ブロックを裏込材層の表面に沿って多段に積み上げて構築された護岸構造物であって、
上段側の護岸ブロックは、後板部の第２張出部と支持部を下段側の護岸ブロックの前板部の第１張出部の後側に挿入されていて、支持部の下面が下段側の護岸ブロックの連結板部の上面に接するように積み上げられており、
多段に積み上げられた護岸ブロックそれぞれの間隙には胴込コンクリート部が設けられている、
護岸構造物。
【請求項８】
最上段の護岸ブロックの前板部の第１張出部の後側には、第１張出部と上下方向寸法が同じ天端コンクリート層が設けられている、
請求項７に記載の護岸構造物。
【発明の詳細な説明】
【技術分野】
【０００１】
本発明は、護岸ブロックと、この護岸ブロックを用いて構築された護岸構造物に関する。
【背景技術】
【０００２】
後記特許文献１には、前面および後面との間の中央に上面から下面に至る中空部が設けられその両側に上面から下面に至る凹部が設けられているとともに、上面の中空部および凹部を除く部分に嵌合突起が設けられ、下面の中空部および凹部を除く部分に嵌合凹部が設けられたコンクリートブロック（以下、単にブロックと言う）が開示されている。このブロックは、下側ブロックの嵌合突起に上側ブロックの嵌合凹部が嵌まり込むようにして、裏込材の表面に沿ってブロックの積み上げを行い、積み上げられたブロックの中空部および凹部にコンクリートを充填することにより施工されるものである。
【０００３】
しかしながら、前記ブロックは、下側ブロックに上側ブロックを積み上げるときに、下側ブロックの嵌合突起に上側ブロックの嵌合凹部を位置合わせしながら嵌め込む作業が必要となる。この嵌め込み作業は、サイズが小さいブロックでも数百ｋｇの質量があることも相俟って、熟練者でも難しい作業である。すなわち、前記ブロックは、その積み上げに係る労力および時間が嵩むために施工性が良いとは言い難い。
【先行技術文献】
【特許文献】
【０００４】
【特許文献１】特開２０１７−１０６２３３号公報
【発明の概要】
【発明が解決しようとする課題】
【０００５】
本発明が解決しようとする課題は、積み上げに係る労力および時間を軽減して施工性の向上を図れる護岸ブロックと、この護岸ブロックを用いて高施工性下で構築できる護岸構造物を提供することにある。
【課題を解決するための手段】
【０００６】
前記課題を解決するため、本発明に係る護岸ブロックは、前板部と後板部との間に上下方向の間隙を形成するための連結板部を備えた護岸ブロックであって、前記前板部の外形は長方形状であり、当該前板部は前記連結板部の上面よりも上方に張り出した第１張出部を有しており、前記後板部の外形は長方形状であり、当該後板部は前記連結板部の下面よりも下方に張り出し、かつ、前記第１張出部と上下方向寸法が同じ第２張出部を有しており、前記連結板部の下面には、前記第２張出部と上下方向寸法が同じ支持部が設けられている。
【０００７】
一方、本発明に係る護岸構造物は、前掲の護岸ブロックを裏込材層の表面に沿って多段に積み上げて構築された護岸構造物であって、上段側の護岸ブロックは、後板部の第２張出部と支持部１４を下段側の護岸ブロックの前板部の第１張出部の後側に挿入されていて、支持部の下面が下段側の護岸ブロックの連結板部の上面に接するように積み上げられており、多段に積み上げられた護岸ブロックそれぞれの間隙には胴込コンクリート部が設けられている。
【発明の効果】
【０００８】
本発明によれば、積み上げに係る労力および時間を軽減して施工性の向上を図れる護岸ブロックと、この護岸ブロックを用いて高施工性下で構築できる護岸構造物を提供することができる。
【図面の簡単な説明】
【０００９】
【図１】図１（Ａ）は本発明を適用した護岸ブロックを前から見た図、図１（Ｂ）は同護岸ブロックを後から見た図、図１（Ｃ）は同護岸ブロックを右側から見た図、図１（Ｄ）は同護岸ブロックを上から見た図、図１（Ｅ）は同護岸ブロックを下から見た図、図１（Ｆ）は図１（Ａ）のＳ１−Ｓ１線断面図である。
【図２】図２は本発明を適用した護岸構造物の縦断面図である。
【図３】図３（Ａ）および図３（Ｂ）は図２に示した護岸構造物を前から見たときの護岸ブロックの積み上げ配列をそれぞれ示す図である。
【図４】図４は図２に示した護岸構造物の施工方法例の説明図である。
【図５】図５は図２に示した護岸構造物の施工方法例の説明図である。
【図６】図６は図２に示した護岸構造物の施工方法例の説明図である。
【図７】図７は図２に示した護岸構造物の施工方法例の説明図である。
【図８】図８は図２に示した護岸構造物の施工方法例の説明図である。
【図９】図９（Ａ）は図１に示した護岸ブロックの変形例を示す図１（Ｄ）対応図、、同変形例を示す図１（Ｅ）対応図である。
【発明を実施するための形態】
【００１０】
まず、図１を用いて、本発明を適用した護岸ブロック１０の構成について説明する。なお、この説明では、便宜上、図１（Ｃ）の左側を前、右側を後、奥側を左、手前側を右、上側を上、下側を下と表記し、他の図についてもこれらに準じて向きを表記する。また、この説明中の「寸法が同じ」と「面が平行」と「角度が同じ」と「面一」と「厚さが一定」と「寸法が一致」と「直角」等の表記は設計上の基準寸法に基づく便宜的なものであり、製造公差を含めると実際上は当該公差内で異なる場合もあり得る。
【００１１】
図１に示した護岸ブロック１０は、前板部１１と、後板部１２と、２個の連結板部１３と、２個の支持部１４とを備えたプレキャストコンクリートブロックである。図１（Ｄ）および図１（Ｅ）に示したように、２個の連結板部１３は、前板部１１と後板部１２とを連結する役割を果たす他、前板部１１と後板部１２との間に上下方向の３個の間隙ＧＡを形成する役割を果たしている。なお、護岸ブロック１０は内部鉄筋を有しているが、図１（Ｆ）にはその図示を省略している。
【００１２】
図１（Ａ）および図１（Ｂ）に示したように、前板部１１の外形と後板部１２の外形はいずれも長方形状であって、前板部１１の左右方向寸法Ｗ１１と後板部１２の左右方向寸法Ｗ１２は同じであり、前板部１１の上下方向寸法Ｈ１１と後板部１２の上下方向寸法Ｈ１２は同じである。また、図１（Ｃ）に示したように、前板部１１と後板部１２は同じ角度θにて後ろ向きに傾いていて、前板部１２の前面と後板部１３の後面は平行である。
【００１３】
さらに、図１（Ａ）〜図１（Ｃ）および図１（Ｆ）に示したように、前板部１１の上部は各連結板部１３の上面よりも上方に張り出した第１張出部１１ａとなっており、後板部１２の下部は各連結板部１３の下面よりも下方に張り出した第２張出部１２ａとなっており、第１張出部１１ａの上下方向寸法Ｈ１１ａと第２張出部１２ａの上下方向寸法Ｈ１２ａは同じである。
【００１４】
さらに、図１（Ａ）および図１（Ｃ）〜図１（Ｆ）に示したように、前板部１１の前面には、外形が長方形状を成し、かつ、表面に岩肌模様や石肌模様等が付された複数（図面では計１２個）の化粧部１ｂが左右方向と上下方向に隙間を介して並ぶように設けられている。図１（Ａ）から分かるように、左右方向隙間の位置が上下方向でずれるように、左右方向で並ぶ化粧部１１ｂの左右寸法は同一ではない。すなわち、前板部１１の前面に設けられた複数の化粧部１１ｂは、石垣のような景観が得られるような態様となっている。
【００１５】
さらに、図１（Ｃ）および図１（Ｆ）に示したように、前板部１１は互いが平行な上面および下面を有しており、後板部１２も互いが平行な上面および下面を有しており、各連結板部１３も互いが平行な上面および下面を有している。さらに、図１（Ｃ）および図１（Ｆ）に示したように、前板部１１の下面は各連結板部１３の下面と面一であり、後板部１２の上面は各連結板部１３の上面と面一であり、後板部１２の下面は各支持部１４の下面と面一である。さらに、図１（Ｄ）に示したように、左側の連結板部１３の左右方向中心は前板部１１の左端から「左右方向寸法Ｗ１１の１／４」の位置にあり、右側の連結板部１３の左右方向中心は前板部１１の右端から「左右方向寸法Ｗ１１の１／４」の位置にある。
【００１６】
さらに、図１（Ｃ）および図１（Ｅ）に示したように、前板部１１の厚さは、第１張出部１１ａを含む上部が一定で、上部を除く部分（肉厚部１１ｃ）が下方に向かって大きくなっている。この厚さ変化は、後述する重心位置調整に関する配慮であり、前板部１１の剛性向上の役割も果たしている。さらに、図１（Ｃ）〜図１（Ｅ）に示したように、各連結板部１３の前板側１３ａには横断面形が台形状を成す補強部１３ａが形成されている。この補強部１３ａは、後述する重心位置調整に関する配慮であり、各連結板部１３と前板部１１との連結強化の役割も果たしている。さらに、図１（Ｃ）および図１（Ｆ）に示したように、各連結板部１３には前記間隙ＧＡと連通する縦断面形が台形状を成す連絡孔１３ｂが左右方向に形成されている。各連結板部１３において連絡孔１３ｂの下側部分の縦断面積が上側部分の縦断面積よりも大きくなるような縦断面形の連絡孔１３ｂを採用しているのは、後述する重心位置調整に関する配慮である。
【００１７】
さらに、図１（Ｃ）および図１（Ｅ）に示したように、各支持部１４は、各連結板部１３の左右方向寸法よりも若干大きな左右方向寸法、あるいは、各連結板部１３の左右方向寸法と同じ左右方向寸法を有している。さらに、図１（Ｃ）に示したように、各支持部１４の上下方向寸法は、第２張出部１２ａの上下方向寸法Ｈ１２ａと同じである。さらに、図１（Ｃ）に示したように、各支持部１４の上面の前後方向寸法は、前板部１１の前面と後板部１２の後面との前後方向寸法Ｄ１０（図１（Ｄ）を参照）から第１張出部１１ａの厚さを減じた寸法に一致しており、各支持部１４の下面の前後方向寸法は、各支持部１４の上面の前後方向寸法よりも僅かに小さい。具体的には、各支持部１４の後面は角度θにて後ろ向きに傾いているものの、各支持部１４の前面１４ａは各支持部１４の上面および下面と直角を成している。
【００１８】
参考までに、図１の基になっている護岸ブロックの仕様は、前板部１１の左右方向寸法Ｗ１１と後板部１２の左右方向寸法Ｗ１２が１２５０ｍｍ、前板部１１の上下方向寸法Ｈ１１と後板部１２の上下方向寸法Ｈ１２が８００ｍｍ、第１張出部１１ａの上下方向寸法Ｈ１１ａと第２張出部１２ａの上下方向寸法Ｈ１２ａが１００ｍｍ、前板部１１の前面と後板部１２の後面との前後方向寸法Ｄ１０が３３０ｍｍ、各化粧部１１ｂの厚さが５０ｍｍ、前板部１１と後板部１２の傾斜角度θが６３．４度、質量が３８０ｋｇである。
【００１９】
ここで、護岸ブロック１０の重心位置について説明する。一般に護岸構造物の施工に際し、護岸ブロックは施工前や施工途中に現場に搬入して保管されるが、保管スペースの観点からすると自立できる護岸ブロックの方がスペース削減に有効であり、また、施工の観点からすると自立できる護岸ブロックの方がクレーンによる搬送時および積み上げ時の姿勢制御が極めて容易になる。
【００２０】
例えば、護岸ブロック１０が前記のような仕様の場合、前後方向寸法Ｄ１０が小さいために重心位置の調整を行わないと、当該護岸ブロック１０を自立させることはできない。そのため、先に述べたように、前板部１１に肉厚部１１ｃを設ける手法、各連結板部１３に補強部１３ａを設ける手法、各連結板部１３の連結孔１３ｂの縦断面形を工夫する手法等によって、護岸ブロック１０の重心位置の調整が施されている。すなわち、護岸ブロック１０の重心を図１（Ｃ）に示した支持部１４の下面の上方に位置するように調整することによって、護岸ブロック１０を図１（Ｃ）に示した姿勢で自立できるようにしている。
【００２１】
次に、図２を用いて、本発明を適用した護岸構造物２０、すなわち、図１に示した護岸ブロック１０を用いて構築された護岸構造物２０の構成について説明する。なお、この説明では、便宜上、図２の左側を前、右側を後、奥側を左、手前側を右、上側を上、下側を下と表記する。
【００２２】
図２に示した護岸構造物２０は、地盤２１の法面に設けられた裏込材層２２と、裏込材層２２の下端部に設けられた基礎材層２３と、基礎材層２３の上に設けられた基礎コンクリート部２４と、基礎コンクリート部２４を基準として裏込材層２２の表面に沿って多段に積み上げられた護岸ブロック１０と、積み上げられた護岸ブロック１０それぞれの間隙ＧＡに設けられた胴込コンクリート部２５と、最上段の護岸ブロック１０の前板部１１の第１張出部１１ａの後側に設けられた天端コンクリート層２６と、天端コンクリート層２６の上面と地盤２１の上面を覆う盛土部２７とを備えている。
【００２３】
地盤２１は、河岸や海岸や湖岸等の岸を整地したものである。裏込材層２２と基礎材層２３は、砕石や再生砕石等から成る。基礎コンクリート部２４の上面には、護岸ブロック１０の後板部１２の第２張出部１２ａと各支持部１４を受容する凹部２４ａが左右方向に形成されている。胴込コンクリート部２５は、護岸ブロック１０それぞれの間隙ＧＡの他に、各連結板部１３の連絡孔１３ｂにも入り込んでいる。天端コンクリート層２６は、最上段の護岸ブロック１０の前板部１１の第１張出部１１ａの後側から裏込材層２２の上面に及んで作製されており、その上下方向寸法は第１張出部１１ａの上下方向寸法１１ａと同じである。
【００２４】
多段に積み上げられた護岸ブロック１０は、前から見たときに図３（Ａ）または図３（Ｂ）に示した積み上げ配列となっている。図３（Ａ）に示した積み上げ配列は、下段側の護岸ブロック１０に上段側の護岸ブロック１０が左右方向にずれずに積み上げられたマトリクス配列である。一方、図３（Ｂ）に示した積み上げ配列は、下段側の護岸ブロック１０に上段側の護岸ブロック１０が前板部１１の左右方向寸法Ｗ１１の１／２だけ左右方向にずれて積み上げられた千鳥配列である。
【００２５】
次に、図４〜図８を用いて、図２に示した護岸構造物２０の構成理解を補うために、図２に示した護岸構造物２０の施工方法例について説明する。なお、この説明では、便宜上、図４の左側を前、右側を後、奥側を左、手前側を右、上側を上、下側を下と表記し、他の図についてもこれらに準じて向きを表記する。また、ここで説明する施工方法はあくまでも一例であって、護岸構造物２０の施工方法を制限するものではない。
【００２６】
最初に地盤２１の法面に裏込材層２２を作製するとともにその下端部に基礎材層２３を作製し、続いて、基礎材層２３の上に凹部２４ａを有する基礎コンクリート部２４を作製する。
【００２７】
続いて、図４に示したように、クレーンによって搬送された護岸ブロック１０の後板部１２の後面を裏込材層２２の表面に接触させた後に当該護岸ブロック１０を降下させて、１段目の護岸ブロック１０（１個目）の後板部１２の第２張出部１２ａと各支持部１４を、基礎コンクリート部２４の凹部２４ａに挿入して設置する。続いて、この護岸ブロック１０の左側と右側の少なくとも一方に別の護岸ブロック１０を同様に設置して左右方向に並べる作業を繰り返して、１段目の護岸ブロック１０の積み上げを行う。
【００２８】
続いて、図５に示したように、クレーンによって搬送された護岸ブロック１０の後板部１２の後面を裏込材層２２の表面に接触させた後に当該護岸ブロック１０を降下させて、２段目の護岸ブロック１０（１個目）の後板部１２の第２張出部１２ａと各支持部１４を、１段目の護岸ブロック１０の前板部１１の第１張出部１１ａの後側に挿入して設置する。続いて、この護岸ブロック１０の左側と右側の少なくとも一方に別の護岸ブロック１０を同様に設置して左右方向に並べる作業を繰り返して、２段目の護岸ブロック１０の積み上げを行う。
【００２９】
先に述べたように、護岸ブロック１０の左側の連結板部１３の左右方向中心が前板部１１の左端から「左右方向寸法Ｗ１１の１／４」の位置にあり、右側の連結板部１３の左右方向中心が前板部１１の右端から「左右方向寸法Ｗ１１の１／４」の位置にあるため、２段目の護岸ブロック１０の積み上げ配列には図３（Ａ）に示したマトリクス配列と図３（Ｂ）に示した千鳥配列の一方を選択的に採用することができる。
【００３０】
また、護岸ブロック１０の前板部１１の第１張出部１１ａの上下方向寸法Ｈ１１ａと後板部１２の第２張出部１２ａの上下方向寸法Ｈ１２ａが同じであり、かつ、各支持部１４の上下方向寸法が第２張出部１２ａの上下方向寸法Ｈ１２ａが同じであるため、積み上げられた２段目の護岸ブロック１０それぞれは、各支持部１４の下面が１段目の護岸ブロック１０の連結板部１３の上面に接する。また、積み上げられた２段目の護岸ブロック１０それぞれは、前板部１１の下面が１段目の護岸ブロック１０の前板部１１の上面に接し、かつ、後板部１２の下面が１段目の護岸ブロック１０の後板部１２の上面に接する。すなわち、２段目の護岸ブロック１０それぞれを安定した姿勢で１段目の護岸ブロック１０に積み上げることができる。
【００３１】
さらに、護岸ブロック１０の各支持部１４は、その後面が角度θにて後ろ向きに傾いているものの、その前面１４ａは支持部１４の上面および下面と直角を成しているため、２段目の護岸ブロック１０それぞれの後板部１２の第２張出部１２ａと各支持部１４を１段目の護岸ブロック１０の前板部１１の第１張出部１１ａの後側に挿入するときに、各支持部１４が１段目の護岸ブロック１０の前板部１１の第１張出部１１ａにぶつかることを極力回避できる。すなわち、２段目の護岸ブロック１０それぞれを比較的簡単に１段目の護岸ブロック１０に積み上げることができる。
【００３２】
つまり、１段目の護岸ブロック１０に２段目の護岸ブロック１０をみ上げるときには、２段目の護岸ブロック１０それぞれの後板部１２の第２張出部１２ａと各支持部１４を１段目の護岸ブロック１０の前板部１１の第１張出部１１ａの後側に挿入するだけで良いため、積み上げの際に従前のような嵌め合わせに係る位置合わせが不要であり、これにより積み上げに係る労力および時間を軽減することができる。
【００３３】
続いて、図６に示したように、３段目と最上段の護岸ブロック１０の積み上げを前記と同様に行い、最上段の護岸ブロック１０の積み上げが完了したところで、最上端の護岸ブロック１０それぞれの間隙ＧＡに未硬化のコンクリートを流して込んで、積み上げられた護岸ブロック１０それぞれの間隙ＧＡに胴込コンクリート部２５を作製する。なお、この胴込コンクリート部２５の作製は１段毎または２段毎に行っても良い。図６から分かるように、最上段の護岸ブロック１０の積み上げが完了したところでは、最上段の護岸ブロック１０それぞれの前板部１１の第１張出部１１ａは裏込材層２２の上面および胴込コンクリート部２５の上面よりも上方に突出している。
【００３４】
続いて、図７に示したように、天端コンクリート層２６を、最上段の護岸ブロック１０それぞれの前板部１１の第１張出部１１ａの後側から裏込材層２２の上面に及んで作製する。図７から分かるように、天端コンクリート層２６の上下方向寸法は、第１張出部１１ａの上下方向寸法Ｈ１１ａと同じである。天端コンクリート層２６の上下方向寸法を第１張出部１１ａの上下方向寸法Ｈ１１ａと同じにした理由は、天端コンクリート層２６を第１張出部１１ａによって前から見えないように隠して、護岸構造物２０を前から見たときの見栄えを良くするためである。換言すれば、天端コンクリート層２６の上下方向寸法については規格があるため、この規格に合わせて第１張出部１１ａの上下方向寸法Ｈ１１ａが設定することにより、天端コンクリート層２６が前から見える場合に比べて見栄えを格段向上することができる。
【００３５】
続いて、図８に示したように、盛土部２７を、天端コンクリート層２６の上面と地盤２１の上面を覆うように作製する。以上で、図２に示した護岸構造物２０の施工が完了する。
【００３６】
次に、前記護岸ブロック１０と前記護岸構造物２０によって得られる作用効果について説明する
【００３７】
〈Ｅ１〉護岸ブロック１０の前板部１１が各連結板部１３の上面よりも上方に張り出した第１張出部１１ａを有し、後板部１２が各連結板部１３の下面よりも下方に張り出し、かつ、第１張出部１１ａと上下方向寸法が同じ第２張出部１２ａを有し、各連結板部の下面に第２張出部１２ａと上下方向寸法が同じ支持部１４が設けられている。すなわち、下段側の護岸ブロック１０に上段側の護岸ブロック１０をみ上げるときには、上段側の護岸ブロック１０それぞれの後板部１２の第２張出部１２ａと各支持部１４を下段側の護岸ブロック１０の前板部１１の第１張出部１１ａの後側に挿入するだけで良いため、積み上げの際に従前のような嵌め合わせに係る位置合わせが不要であり、これにより積み上げに係る労力および時間を軽減することができる。
【００３８】
〈Ｅ２〉護岸ブロック１０の前板部１１の下面は各連結板部１３の下面と面一であり、後板部１２の上面は各連結板部１３の下面と面一であり、後板部１２の下面は各支持部１４の下面と面一である。すなわち、下段側の護岸ブロック１０に積み上げられた上段側の護岸ブロック１０それぞれは、各支持部１４の下面が下段側の護岸ブロック１０の連結板部１３の上面に接するとともに、前板部１１の下面が下段側の護岸ブロック１０の前板部１１の上面に接し、かつ、後板部１２の下面が下段側の護岸ブロック１０の後板部１２の上面に接するため、上段側の護岸ブロック１０それぞれを安定した姿勢で下段側の護岸ブロック１０に積み上げることができる。
【００３９】
〈Ｅ３〉護岸ブロック１０の各支持部１４の上面の前後方向寸法は、前板部１１の前面と後板部１２の後面との前後方向寸法から第１張出部１１ａの厚さを減じた寸法に一致し、各支持部１４の下面の前後方向寸法は、各支持部１４の上面の前後方向寸法よりも僅かに小さい。すなわち、上段側の護岸ブロック１０それぞれの後板部１２の第２張出部１２ａと各支持部１４を下段側の護岸ブロック１０の前板部１１の第１張出部１１ａの後側に挿入するときに、各支持部１４が下段側の護岸ブロック１０の前板部１１の第１張出部１１ａにぶつかることを極力回避できるため、上段側の護岸ブロック１０それぞれを比較的簡単に下段側の護岸ブロック１０に積み上げることができる。
【００４０】
〈Ｅ４〉護岸ブロック１０は、後板部１２の下面と各支持部１４の下面とで自立できるように重心位置が設定されている。すなわち、施工前や施工途中に現場に搬入した護岸ブロック１０を自立状態で保管できるため、保管スペースの削減に有効である。また、クレーンによる搬送時および積み上げ時における護岸ブロック１０の姿勢を自立状態に近い姿勢とすることができるため、搬送時および積み上げ時における護岸ブロック１０の姿勢制御が極めて容易である。
【００４１】
〈Ｅ５〉護岸ブロック１０の前板部１１の下部には重心位置調整のための肉厚部１１ｃが設けられており、各連結板部１３には重心位置調整を兼ねる連結孔１３ｂが左右方向に形成されている。すなわち、護岸ブロック１０の重心位置調整を、前板部１１に肉厚部１１ｃを設ける手法や各連結板部１３の連結孔１３ｂの縦断面形を工夫する手法等によって行っているので、護岸ブロック１０の前後方向寸法Ｄ１０が小さい場合でも所期の重心位置調整を的確に行うことができる。
【００４２】
〈Ｅ６〉護岸構造物２０の最上段の護岸ブロック１０の前板部１１の第１張出部１１ａの後側には、第１張出部１１ａと上下方向寸法が同じ天端コンクリート層２６が設けられている。すなわち、天端コンクリート層２６を第１張出部１１ａによって前から見えないように隠して、護岸構造物２０を前から見たときの見栄えを良くすることができる。換言すれば、天端コンクリート層２６の上下方向寸法については規格があるため、この規格に合わせて第１張出部１１ａの上下方向寸法Ｈ１１ａを設定すれば、天端コンクリート層２６が前から見える場合に比べて見栄えを格段向上することができる。
【００４３】
次に、前記同様の作用効果を得ることが可能な、前記護岸ブロック１０と前記護岸構造物２０の変形例について説明する。
【００４４】
〈Ｍ１〉図１には、前板部１１の左右方向寸法Ｗ１１と後板部１２の左右方向寸法Ｗ１２が同じ護岸ブロック１０を示したが、護岸ブロック１０を前板部１１の左右方向寸法を優先して左右方向に並べる場合には、後板部１２の左右方向寸法を前板部１１の左右方向寸法よりも僅かに小さく設定すると良い。例えば、後板部１２の左右方向寸法を前板部１１の左右方向寸法の９７％前後に設定すれば、護岸ブロック１０を前板部１１の左右方向寸法を優先して左右方向に並べることができる。
【００４５】
〈Ｍ２〉図１には、前板部１１の左右方向寸法Ｗ１１と後板部１２の左右方向寸法Ｗ１２が同じ護岸ブロック１０を示したが、護岸ブロック１０の質量を軽減する場合には、後板部１２の左右方向寸法を前板部１１の左右方向寸法よりもかなり小さく設定しても良い。例えば、図９に示したように、後板部１２の左右方向寸法を前板部１１の左右方向寸法の７０％前後に設定すれば、削減分だけ護岸ブロック１０の質量を軽減することができる。
【００４６】
〈Ｍ３〉図１には、前板部１１と後板部１２との間に２個の連結板部１３（支持部１４も２個）を備えた護岸ブロック１０を示したが、前板部１１の左右方向寸法が大きい場合には、連結板部１３の数を３個（支持部１４も３個）としても良い。この場合、左側の連結板部１３の左右方向中心を前板部１１の左端から「左右方向寸法Ｗ１１の１／６」の位置とし、連結板部１３の左右方向中心を前板部１１の右端または左端から「左右方向寸法Ｗ１１の１／２」の位置とし、右側の連結板部１３の左右方向中心を前板部１１の右端から「左右方向寸法Ｗ１１の１／６」の位置とすれば、図３（Ａ）に示したマトリクス配列と図３（Ｂ）に示した千鳥配列に類似の配列の一方を選択的に採用することができる。
【００４７】
〈Ｍ４〉図１には、前板部１１の左右方向寸法Ｗ１１が上下方向寸法Ｈ１１よりも大きな護岸ブロック１０を示したが、前板部１１の左右方向寸法Ｗ１１と上下方向寸法Ｈ１１は同じにしても良いし、前板部１１の左右方向寸法Ｗ１１を上下方向寸法Ｈ１１よりも小さくしても良い。また、前板部１１と後板部１２の傾斜角度θも、図示した角度よりも多少小さくして良いし大きくしても良い。
【符号の説明】
【００４８】
１０…護岸ブロック、１１…前板部、１１ａ…第１張出部、１１ｂ…化粧部、１１ｃ…肉厚部、１２…後板部、１２ａ…第２張出部、１３…連結板部、１３ａ…補強部、１３ｂ…連絡孔、１４…支持部、１４ａ…前面、ＧＡ…間隙、２０…護岸構造物、２１…地盤、２２…裏込材層、２３…基礎材層、２４…基礎コンクリート部、２５…胴込コンクリート部、２６…天端コンクリート層、２７…盛土部。
【図１】
2019035290.tif 000003
【図２】
2019035290.tif 000004
【図３】
2019035290.tif 000005
【図４】
2019035290.tif 000006
【図５】
2019035290.tif 000007
【図６】
2019035290.tif 000008
【図７】
2019035290.tif 000009
【図８】
2019035290.tif 000010
【図９】
2019035290.tif 000011